(57)【要約】【課題】簡単な操作で、撮影を行い、撮影後に不必要な部分を除き再生することができる編集機能が付いた装置を提供することを目的とする。【解決手段】デジタル録画方式の映像撮影装置であって、シナリオ情報及びシナリオを構成する複数のシーンに付けられたシーン番号と撮影に関する説明が記述されたシーン情報とを記憶する情報記憶部と、前記情報記憶部に記録されているシーン情報を読み出し、表示部に表示する情報表示手段と、撮影した映像情報に前記シーン番号を関連付ける番号付加手段と、映像を再生する際に、前記関連付けられたシーン番号を持つ映像を前記情報記憶部内から検索して、シーン番号の順に複数のシーンを連続して再生する検索・再生手段とを有することを特徴とする。【選択図】図２
2006074406.tif 000002
【特許請求の範囲】
【請求項１】
デジタル録画方式の映像撮影装置であって、
シナリオ情報及びシナリオを構成する複数のシーンに付けられたシーン番号と撮影に関する情報が記述されたシーン情報と撮影した映像情報とを記憶する情報記憶部と、
前記情報記憶部に記録されているシーン情報を読み出し、表示部に表示する情報表示手段と、
前記撮影した映像情報に前記シーン番号を関連付け前記情報記憶部に記録する番号付加手段と、
前記情報記憶部から読み出した映像情報を再生する際に、前記情報記憶部内から関連付けられた前記シーン番号を持つ映像情報を検索して、シーン番号に基づき複数のシーンを連続して再生する検索・再生手段とを有することを特徴とする編集機能を付加した映像撮影装置。
【請求項２】
前記シナリオ情報は、撮影対象・目的別に複数のシーン情報から構成され、各シーンの名称、再生順序を少なくとも含み、前記シーン情報は、該シーンでの撮影対象、構図、台詞、撮影時間を少なくとも含むことを特徴とする請求項１に記載の編集機能を付加した映像撮影装置。
【請求項３】
前記情報記憶部は、ＤＶＤ、メモリーカード、ディスク、内蔵メモリのうちいずれか１つ、または複数の組合せであることを特徴とする請求項１に記載の編集機能を付加した映像撮影装置。
【請求項４】
前記番号付加手段は、選択したシーン情報を映像撮影装置の表示部に表示した後に撮影を開始することにより、前記選択したシーンのシーン情報と時刻とを撮影した映像情報に関連付けて記録することを特徴とする請求項１に記載の編集機能を付加した映像撮影装置。
【請求項５】
同一のシーンを複数回撮影する際に撮影した順に従い映像情報に番号を付け、利用者の指示により再生する際の映像情報の番号を指定する選択手段をさらに有することを特徴とする請求項１に記載の編集機能を付加した映像撮影装置。
【請求項６】
撮影された映像情報から利用者により指定されたシーン番号の映像情報を前記情報記憶部から読み出して、利用者の指示により、シーン初頭部における不要映像情報部分の後にシーンの再生開始位置情報を更新し、また、シーン最終部における不要映像情報部分の前にシーンの再生終了位置情報を更新する機能を有することを特徴とする請求項１に記載の編集機能を付加した映像撮影装置。
【請求項７】
前記シナリオ情報及びシナリオを構成する複数のシーンに付けられたシーン番号と、撮影に関する情報が記述されたシーン情報とをパソコン上で作成し、インタフェースケーブルを介してパソコンから映像撮影装置に読込み、映像撮影装置内の情報記憶部に記録する情報転送手段をさらに有することを特徴とする請求項１に記載の編集機能を付加した映像撮影装置。
【請求項８】
前記映像撮影装置は通信手段を有し、インターネット上のｗｅｂサイトにアクセスして、ｗｅｂサイトのシナリオ情報を情報表示手段により表示して、利用者により選択されたシナリオ情報を該映像撮影装置に読込み、映像撮影装置内の情報記憶部に記録する情報転送手段を有することを特徴とする請求項１に記載の編集機能を付加した映像撮影装置。
【発明の詳細な説明】
【技術分野】
【０００１】
本発明は、利用者の日常生活に於けるイベントを撮影する際に、事前にそのシナリオ情報を入手して、シナリオ情報で示されたシーンの説明に従い撮影することで、撮影後に映像を再生するときに、不用な映像を除いて再生することができる編集機能が付加された映像撮影装置に関するものである。
【背景技術】
【０００２】
小型のデジタルビデオカメラの普及に伴い、一般家庭に於いては、イベントのシーンを撮影してそれを日常生活に於ける記録だけでなく、映像によるメッセージとして利用することが浸透している。
映像によるメッセージは、家族の年賀の挨拶、ビジネスでは、プレゼンテーションなどに利用されるが、映像によるメッセージの作成は、順序を決めて撮影する必要があり、途中での撮影の失敗があると、最初から撮り直しをすることになり不便であった。
簡単な操作で、撮影を進めて、撮影後に必要な部分のみを繋げて再生する編集機能が付いた装置が望まれている。
【０００３】
ビデオ編集に関するシステムの事例として、特許文献１に「ビデオカメラを用いた映像音声取材システムとその編集システム」のように、放送局が使う大型の編集システムの例が開示されている。
簡単な操作で、撮影を行い、撮影後に不必要な部分を除き再生することができる編集機能が付いた装置が望まれている。
【０００４】
【特許文献１】国際公開第ＷＯ９７／１０６７３号公報
【発明の開示】
【発明が解決しようとする課題】
【０００５】
以上のような問題を解決するために本発明では、映像によるメッセージを作成する際に予め想定されるシナリオと、シナリオに沿って複数のシーンに分けて、このシーンの単位で撮影を行い、撮影後に各シーンをシーン番号に基づき再生して映像の確認ができる編集機能が付加された映像撮影装置を提供することを目的とする。
【課題を解決するための手段】
【０００６】
上記目的を達成するために本発明における映像撮影装置は、デジタル録画方式の映像撮影装置であって、シナリオ情報及びシナリオを構成する複数のシーンに付けられたシーン番号と撮影に関する情報が記述されたシーン情報と撮影した映像情報とを記憶する情報記憶部と、前記情報記憶部に記録されているシーン情報を読み出し、表示部に表示する情報表示手段と、前記撮影した映像情報に前記シーン番号を関連付け前記情報記憶部に記録する番号付加手段と、前記情報記憶部から読み出した映像情報を再生する際に、情報記憶部内から前記関連付けられた前記シーン番号を持つ映像情報を検索して、シーン番号に基づき複数のシーンを連続して再生する検索・再生手段とを有することを特徴とする。
【０００７】
前記シナリオ情報は、撮影対象・目的別に複数のシーン情報から構成され、各シーンの名称、再生順序を少なくとも含み、前記シーン情報は、該シーンでの撮影対象、構図、台詞、撮影時間を少なくとも含むことを特徴とする。
【０００８】
前記情報記憶部は、ＤＶＤ、メモリーカード、ディスク、内蔵メモリのうちいずれか１つ、または複数の組合せであることを特徴とする。
【０００９】
前記番号付加手段は、選択したシーン情報を映像撮影装置の表示部に表示した後に撮影を開始することにより、前記選択したシーンのシーン情報と時刻とを撮影した映像情報に関連付けて記録することを特徴とする。
【００１０】
同一のシーンを複数回撮影する際に撮影した順に従い映像情報に番号を付け、利用者の指示により再生する際の映像情報の番号を指定する選択手段をさらに有することを特徴とする。
【００１１】
撮影された映像情報から利用者により指定されたシーン番号の映像情報を前記情報記憶部から読み出して、利用者の指示により、シーン初頭部における不要映像情報部分の後にシーンの再生開始位置情報を更新し、また、シーン最終部における不要映像情報部分の前にシーンの再生終了位置情報を更新する機能を有することを特徴とする。
【００１２】
前記シナリオ情報及びシナリオを構成する複数のシーンに付けられたシーン番号と、撮影に関する情報が記述されたシーン情報とをパソコン上で作成し、インタフェースケーブルを介して映像撮影装置に読込み、映像撮影装置内の情報記憶部に記録する情報転送手段をさらに有することを特徴とする。
【００１３】
前記映像撮影装置は通信手段を有し、インターネット上のｗｅｂサイトにアクセスして、ｗｅｂサイトのシナリオ情報を情報表示手段により表示して、利用者により選択されたシナリオ情報を該映像撮影装置に読込み、映像撮影装置内の情報記憶部に記録する情報転送手段を有することを特徴とする。
【発明の効果】
【００１４】
以上説明したように、本発明の映像撮影装置によれば、簡易な操作によりシナリオに沿って各シーンの内容を確認しながら撮影を行い、また同じシーンを撮り直しした場合でも、ビデオの再生のときに必要なシーンのみを選択して再生することができるので誰でも映像によるメッセージを作成することができる。
【発明を実施するための最良の形態】
【００１５】
以下、本発明の一実施の形態を図に基づいて詳細に説明する。
本発明のシナリオ情報は、店舗またはインターネット・ショッピングによる販売をおこなう。利用者は、カタログ又はｗｅｂサイトに提示されている複数のシナリオの中から希望するシナリオを選択する。
【００１６】
具体的なシナリオ情報の入手方法および映像撮影装置への取り込み方法を次に示す。
（１）店舗販売においては、ＤＶＤなどのデジタルメディアで利用者に提供されこのデジタルメディアを映像撮影装置にセットする。
（２）インターネット・ショッピングにおいては、パソコンに取り込んだ前記シナリオ情報をメモリーカードなどに書き込み映像撮影装置に搭載するか、又は、パソコンに取り込んだ前記シナリオ情報を、インタフェースケーブルを用いてパソコンと映像撮影装置を接続して情報転送手段により情報記憶部に書き込む。
（３）映像を撮影する機能を持つ携帯電話のように、通信手段を有する映像撮影装置を用いる場合は、インターネット上のｗｅｂサイトにアクセスして、前記シナリオ情報を映像撮影装置の情報表示手段により表示して、利用者により選択されたシナリオ情報を該映像撮影装置に読込み、映像撮影装置内の情報記憶部に書き込む。
【００１７】
シナリオ情報は図１に示すように、複数のシナリオタイトルの中から想定シーン、シナリオ概要を見て利用者が選択する。図１で区分、ジャンルは、選択するためのキーワードとなっている。
図２には、図１の映像年賀状のシナリオ情報の例を示す。シナリオ情報は、複数のシーン情報から構成されている。図２においては７シーンとなっていて、シーン毎に名称、シーンの説明、注意点、台詞、撮影時間の目安が記載されている。
これらのシーン情報は、映像撮影装置にシナリオ情報を読み込み、情報表示手段により映像撮影装置の表示部に表示されるので、利用者は、各シーン単位でシーン情報を読むことができる。
【００１８】
図３には、本発明の映像撮影装置で図２のシーン１からシーン７までの撮影結果データであり、映像撮影装置の情報記憶部に記録される。テイクの番号は撮り直しの回数を示す。図３の例でシーン４は５回撮影したことを示している。
【００１９】
本発明による撮影を行う際は、映像撮影装置の機能設定機能により、例として「自動編集モード撮影」を選択する。「自動編集モード撮影」が選択されると、図４に示すように映像撮影装置の表示部にシーン番号と名称が表示される。
【００２０】
映像撮影装置のスクロールキーを操作して撮影するシーンを選択すると図２のシーン説明、注意点、台詞、撮影時間が表示される。図５にはシーン２の家族紹介を選択したときの例を示す。表示部のサイズにより、全てが表示できないときには、スクロールさせることにより記載内容を読むことができる。
【００２１】
シーンの詳細を表示部に表示した状態で映像撮影装置の録画ボタンを押して撮影を開始することで、シーン番号と映像情報の関連付けができる。撮影を停止することで、シーンの撮影は終了して、そのシーンの最初の撮影であれば、シーンのテイク１として記録される。
【００２２】
撮影の順序は、シーンの順序と異なっていてもよい。
図２のシナリオでは、シーン１とシーン７は全員が揃った映像なので、シーン１を撮影し、次にシーン７を続けて撮影することができる。撮り直しは、表示部にシーンの詳細を表示した状態で録画ボタンをおすことで何回でもできる。撮り直しを行う毎に、図３のようにテイクの番号が加算されていく。
【００２３】
全てのシーンの撮影が終了した後に再生する場合に、図３テイクは最終の番号を再生するようにセットされている。しかし５回撮影した内の３回目が良かった場合には、映像撮影装置の「自動編集モード再生指示」を選択すると図６のように各シーンで選択されているテイクの番号にマークを付けて示される。変更したいシーンを選択して決定すると、図７のようにそのシーンの全てのテイクが表示される。カーソルキーの操作によりテイクの番号を選択し、決定する。再生シーン選択の画面に戻り、選択されたテイク番号を表示する。再生シーン選択の画面上の再生にカーソルを合わせて決定をすることで、映像撮影装置の検索・再生手段により、各シーンで選択されたテイクをシーンの順番に再生する。
【００２４】
撮影された各シーンの映像は最初の部分では、台詞が始まる前の無音の時間帯が録画され、また、シーンの最後の部分では、録画を停止するまでの間に意図しない映像が記録されることが多い。
シーンの最初の不要な部分をカットするには、映像撮影装置の機能選択で「シーン編集モード」を選択して、撮影された映像情報からシーン番号を指定して再生し、映像を確認してシーンの開始とする映像で再生を停止させて機能選択の「シーン開始位置更新」を選択する。この操作によりシナリオに沿って再生する際にシーンの再生開始の位置は更新された位置となる。
【００２５】
シーンの後半の不要な部分も同様に、映像撮影装置の機能選択で「シーン編集モード」を選択して、撮影された映像情報からシーン番号を指定して再生し、映像を確認してシーンの終了とする映像で再生を停止させて機能選択の「シーン終了位置更新」を選択する。この操作によりシナリオに沿って再生する際にシーンの再生では更新された終了位置から後の映像はカットされる。
【００２６】
上記の操作により、シーンの映像情報は録画された状態のまま残り、映像をシナリオに沿って再生する際に各々のシーンで開始・終了する位置が更新されたデータに基づき再生される。シーンを再生するときの開始位置と終了位置を更新する方式により、再度の編集処理も可能となる。
【００２７】
以上のように本発明によれば、簡単な操作によりシナリオに記載されたシーンを選択して撮影することにより、映像情報とシーン番号が関連付けられて、再生のときに、不要な映像情報を省いた映像を映像撮影装置自体で楽しむことができる。
【００２８】
映像情報にシーン番号とテイク番号が付加されているので、この映像情報をパソコンに取り込んで、シーン番号順に並べて、さらにシーンの切り替え部分に演出効果をつけることで、さらに高品質の映像とすることができる。
【００２９】
実施例では、シナリオ情報をＤＶＤによる提供もしくは、インターネットを介してのダウンロードとしたが、利用者がシナリオをパソコン上で作成して、インタフェースケーブルまたはメモリーカードを介して映像撮影装置に読み込ませることも可能である。
また映像撮影装置の機能設定に「シナリオ作成」モードを設けて、映像撮影装置自体でシナリオを作成してもよい。
【００３０】
本発明の映像撮影装置としては、ビデオカメラ、カメラ付き携帯電話機の他に、テレビカメラを接続したパソコン、テレビカメラとパソコンとをインターネットを介して接続した装置等が想定される。
【００３１】
また、再生の順序はシナリオの順となっているが、再生シーンの選択において、再生するシーン番号の順序の入れ替えをして再生することもできる。
なお、本発明は上述の実施例に限られるものではない。本発明の技術的範囲を逸脱しない範囲内で多様に変更実施が可能である。
【産業上の利用可能性】
【００３２】
本発明は、予め設定されたシナリオをに従い簡単な操作でシーンを選択して撮影することで、シーン番号が付いた映像情報を得ることができるのでテレビ放送の番組でインタビュー、地域紹介などシナリオに沿った撮影・取材ができる番組制作にも応用ができる。
【図面の簡単な説明】
【００３３】
【図１】本発明におけるシナリオの一覧の例を示す図である。
【図２】本発明におけるシナリオの詳細の例を示す図である。
【図３】本発明におけるシーンの撮影結果の例を示す図である。
【図４】本発明におけるシナリオの詳細を映像撮影装置の表示部に表示した例を示す図である。
【図５】本発明におけるシーンの詳細を映像撮影装置の表示部に表示した例を示す図である。
【図６】本発明におけるシーン選択・再生を映像撮影装置の表示部に表示した例を示す図である。
【図７】本発明におけるシーン選択を変更する操作を映像撮影装置の表示部に表示した例を示す図である。
【符号の説明】
【００３４】
１０１  映像撮影装置の表示部のカーソルを移動させるスイッチ
１０２  カーソルの位置を決定するスイッチ
１０３  映像撮影装置の表示部
【図１】
2006074406.tif 000003
【図２】
2006074406.tif 000004
【図３】
2006074406.tif 000005
【図４】
2006074406.tif 000006
【図５】
2006074406.tif 000007
【図６】
2006074406.tif 000008
【図７】
2006074406.tif 000009